(57)【要約】      （修正有）【課題】管直径公差に対応し得るために十分な緊締ストロークを受け容れながら、固定的に緊締可能で組付け可能である管クリップならびに管クリップの緊締ユニットの提供。【解決手段】媒体を給送する本管１２用の、好ましくはプラスチックから成る管クリップ１、特に管穿孔クリップであって、サドル部材２に配置される軸受エレメント３含み、前記管クリップ１は緊締ユニット１３を含み、該緊締ユニット１３は、前記本管１２に巻き掛けるための少なくとも１つのバンド９と、バンド結合部と、緊締レバー５を含み、前記バンド結合部と前記緊締レバー５とは、１つもしくは複数の前記バンド９のそれぞれ一方の端部に配置され、互いに対向して位置し、前記緊締レバー５に延長部８が配置され、該延長部８は、好適には別個の部材として形成され、前記延長部８は、前記緊締ユニット１３を前記本管１２に固定的に緊締した後に、前記緊締レバー５から除去可能である。【選択図】図１
2019128037.tif 000002
【特許請求の範囲】
【請求項１】
媒体を給送する本管（１２）用の、好ましくはプラスチックから成る管クリップ（１）、特に管穿孔クリップ、であって、サドル部材（２）と、軸受エレメント（３，４）とを含み、該軸受エレメント（３，４）は、前記サドル部材（２）に配置されており、かつ好適には前記サドル部材（２）と一体に形成されており、前記管クリップ（１）はさらに緊締ユニット（１３）を含み、該緊締ユニット（１３）は、前記本管（１２）に巻き掛けるための少なくとも１つのバンド（９）と、バンド結合部（７）と、緊締レバー（５）とを含んでおり、前記バンド結合部（７）と前記緊締レバー（５）とは、１つもしくは複数の前記バンド（９）のそれぞれ一方の端部に配置されていて、互いに対向して位置している、管クリップ（１）において、
前記緊締レバー（５）に延長部（８）が配置されており、該延長部（８）は、好適には別個の部材として形成されていて、前記延長部（８）は、前記緊締ユニット（１３）を前記本管（１２）に固定的に緊締した後に、前記緊締レバー（５）から除去可能であることを特徴とする、管クリップ（１）。
【請求項２】
前記延長部（８）は、ねじ込みまたは差込みによって、前記緊締レバー（５）に取り付けられていることを特徴とする、請求項１記載の管クリップ（１）。
【請求項３】
前記サドル部材（２）に配置された前記軸受エレメント（３，４）は、一方の側では軸受ピン（３）として形成されていて、反対側では軸受シェル（４）として形成されていることを特徴とする、請求項１または２記載の管クリップ（１）。
【請求項４】
前記緊締レバー（５）は、前記軸受エレメント（３）、好適には前記軸受ピン（３）、を取り囲んで係合するためのクランプ（６）を有していることを特徴とする、請求項１から３までのいずれか１項記載の管クリップ（１）。
【請求項５】
前記クランプ（６）は、前記軸受エレメント（３）、好適には前記軸受ピン（３）、に１８０°よりも大きな角度にわたり巻き掛けられていることを特徴とする、請求項４記載の管クリップ（１）。
【請求項６】
前記緊締ユニット（１３）に、前記本管（１２）に巻き掛けられる１つから４つのバンド（９）、好適には２つのバンド（９）、が配置されていることを特徴とする、請求項１から５までのいずれか１項記載の管クリップ（１）。
【請求項７】
１つもしくは複数の前記バンド（９）の一方の端部が、前記緊締レバー（５）に設けられたバンド取付け部（１１）に配置されており、該バンド取付け部（１１）は、前記サドル部材（２）に設けられた前記軸受エレメント（３，４）もしくは前記軸受ピン（３）を取り囲んで係合していて、かつ旋回軸線（３）としての役割を果たす前記クランプ（６）から、距離をおいて配置されていることを特徴とする、請求項１から６までのいずれか１項記載の管クリップ（１）。
【請求項８】
前記緊締レバー（５）に設けられた前記バンド取付け部（１１）が、前記クランプ（６）もしくは前記旋回軸線（３）から、少なくとも１５ｍｍの距離（Ａ）を有していることを特徴とする、請求項１から６までのいずれか１項記載の管クリップ（１）。
【請求項９】
前記緊締レバー（５）に収容部（１０）が配置されており、該収容部（１０）は前記延長部（８）を収容するために用いられることを特徴とする、請求項１から８までのいずれか１項記載の管クリップ（１）。
【請求項１０】
前記バンド結合部（７）が、軸線を成すように形成されていて、前記サドル部材（２）の一方の側に配置された前記軸受シェル（４）に配置されていることを特徴とする、請求項１から８までのいずれか１項記載の管クリップ（１）。
【請求項１１】
前記緊締ユニット（１３）が一体に形成されており、前記バンド結合部（７）および前記緊締レバー（５）が、射出成形時にバンド端部を取り囲むことにより前記バンド端部に固着して配置されているか、または１つもしくは複数の前記バンド（９）を含めて前記緊締ユニット全体が射出成形部材として形成されていることを特徴とする、請求項１から９までのいずれか１項記載の管クリップ（１）。
【請求項１２】
前記緊締ユニット（１３）の１つもしくは複数の前記バンド（９）は、前記バンド結合部（７）および前記緊締レバー（５）に取外し可能に取り付けられており、好適には、前記バンド端部は前記バンド結合部（７）および前記緊締レバー（５）に、ねじ締結されているか、リベット締結されているか、かつ／またはクランプされて配置されていることを特徴とする、請求項１から９までのいずれか１項記載の管クリップ（１）。
【請求項１３】
請求項１から９までのいずれか１項記載の管クリップ（１）を取り付けるために本管（１２）に巻き掛けるための緊締ユニット（１３）であって、緊締レバー（５）と、前記本管（１２）に巻き掛けるための少なくとも１つのバンド（９）と、バンド結合部（７）とを含んでおり、該バンド結合部（７）と前記緊締レバー（５）とは、１つもしくは複数の前記バンド（９）のそれぞれ一方の端部に配置されている、緊締ユニット（１３）において、該緊締ユニット（１３）が一体に形成されていることを特徴とする、緊締ユニット（１３）。
【請求項１４】
請求項１３記載の緊締ユニット（１３）を製造する方法であって、緊締レバー（５）およびバンド結合部（７）を、プラスチック射出成形法によって１つもしくは複数のバンド（９）に固着するように射出成形する、もしくはバンド端部に固着するように射出成形する、または、１つもしくは複数の前記バンドを含めて前記緊締ユニット全体を射出成形法によって製造することを特徴とする、緊締ユニット（１３）を製造する方法。
【発明の詳細な説明】
【技術分野】
【０００１】
本発明は、媒体を給送する本管用の、好ましくはプラスチックから成る管クリップ、特に管穿孔クリップ、であって、サドル部材と、軸受エレメントとを含み、該軸受エレメントは、前記サドル部材に配置されており、かつ好適には前記サドル部材と一体に形成されており、管クリップはさらに緊締ユニットを含み、該緊締ユニットは、前記本管に巻き掛けるための少なくとも１つのバンドと、バンド結合部と、緊締レバーとを含んでおり、前記バンド結合部と前記緊締レバーとは、１つもしくは複数の前記バンドのそれぞれ一方の端部に配置されていて、互いに対向して位置している、管クリップに関する。
【０００２】
このような管クリップは、たいてい、主管路から分岐する管路を接続するために用いられ、一般には本管に固定的に緊締される。このことは、引き続き溶接される管クリップについても、本管に固定的に緊締されるだけの管クリップについても云える。
【０００３】
国際公開第２０１６／０２３５４０号には、緊締バンドによって本管に取り付けられている穿孔フィッティングが開示されている。緊締レバーには、もしくは緊締バンドが支持されている緊締レバーの緊締装置には、外部にすべり輪郭部が設けられていて、このすべり輪郭部によって、緊締バンドを緊め付けることが可能になる。この場合、緊締レバーもしくはすべり輪郭部を旋回させることによって、軸受シェルと緊締バンドとの間に、すべり輪郭部の、バンド端部の旋回軸線からさらに大きな間隔を置いて配置された領域が出現し、したがって軸受シェルと緊締バンドとの間隔を一層大きくする。
【０００４】
この場合に不都合となるのは、これによって緊締ストロークが極めて短くなり、かつルーズな緊締バンドから、引き締められた緊締バンドまでの長さ変化、もしくはすべり輪郭部の小幅の領域から、すべり輪郭部の広幅の領域またはさらに大きな間隔を置いて配置された領域までの長さ変化が小さくなり、これにより、本管への穿孔フィッティングの取付けがむしろ困難となることである。なぜならば、大きな管公差を許容しない、比較的正確なバンド長さに基づき、軸受シェル内への緊締レバーの掛け込みが、むしろ困難になるからである。
【０００５】
独国特許出願公開第４４３７４１０号明細書には、管漏れ部をシールするためのシール装置が開示されている。このシール装置では、コンプレス式パッドが、急速緊締装置を用いて、シールすべき漏れ部に固定される。この装置は長い緊締ストロークを有し、これによりこのシール装置は、種々異なる直径の管に対して使用することができる。しかし、このような装置を取り付けることができるようにするためには、緊締レバーを傾倒させるための高い力が必要となる。付加的な引張りばねを用いて、このような高い力の付与は回避されるが、このことには、次のような不都合がある。すなわち、この付加的に必要とされる引張りばねにより、この装置が複数の構成部分を含み、それにより、製造および組立に一層の手間がかかる。
【０００６】
本発明の課題は、管クリップならびに管クリップの緊締ユニットおよびこれに関連した、経済的な製造を可能にする製造方法を提案すること、ならびに、管直径公差に対応し得るために十分な緊締ストロークを受け容れながら、しかも容易に固定的に緊締可能でかつ容易に組付け可能である管クリップを提案することである。
【０００７】
この課題は、本発明によれば、管クリップにおいて緊締レバーに延長部が配置されており、この延長部が、好適には別個の部材として形成されていて、この延長部は、緊締ユニットを本管に固定的に緊締した後に、緊締レバーから除去可能であることにより、解決される。
【０００８】
媒体を給送する本管用の本発明による管クリップ、特に管穿孔クリップは、好適にはプラスチックから製造されている。管クリップは、サドル部材と、サドル部材に配置された軸受エレメントとを含む。軸受エレメントは緊締ユニットを支持するために使用され、この場合、軸受エレメントはサドル部材に配置されており、サドル部材は軸受エレメントとともに単一の部材として形成されているか、もしくは軸受エレメントと一体である。
【０００９】
好適には、サドル部材は、載着部内側に加熱線材巻線を有しており、これよりサドル部材は本管に溶接固定される。
【００１０】
さらに、管クリップは緊締ユニットを含んでおり、この緊締ユニットは、本管に巻き掛けるための少なくとも１つのバンドと、バンド結合部と、緊締レバーとを有する。バンド結合部と緊締レバーとは、それぞれバンド端部に配置されていて、互いに対向して位置している。１つもしくは複数のバンドが、緊締レバーに取り付けられていて、この場合、緊締レバーを組付け位置もしくは緊締されていない位置から緊締レバーの終端位置へと傾倒させる際に、緊締レバーに設けられたバンド取付け部と、反対の側に設けられたバンド結合部との間の間隔が、著しく増大するようになっている。これにより管クリップは、外径に関して大きな公差領域を受ける本管にも取り付けられ得る。緊締ユニットを締め付けるためには、大きな緊締ストロークに基づき、緊締レバーを傾倒させるための高いトルクが必要となる。緊締レバーの傾倒を、小さな力を加えるだけで可能となるようにするために、緊締レバーに延長部が配置されている。延長部は、緊締過程後に、再び緊締レバーから除去されて、別の管クリップにおいて使用され得る。これにより延長部は、複数回使用可能となる。延長部によって、緊締レバーの旋回軸線と、レバーを傾倒させるための力が導入される力導入点との間の間隔が増大せしめられ、これにより、必要とされるトルクは同じでありながら、より小さな力しか必要とならない。この力は、さらに、好適にはプラスチックから製造されていて、かつ必要となる力に対する影響をも有する幾何学的形状を有している単数もしくは複数のバンドの、弾性係数により規定される。
【００１１】
延長部として、慣用の六角レンチもしくはソケットレンチが使用されると有利であることが判った。なぜならば、六角レンチもしくはソケットレンチは、たいてい、このような組付け作業を行う際にはすでに現場に用意されているからである。
【００１２】
好適には、延長部は、ねじ込みまたは差込みによって、緊締レバーに取り付けられており、このことは、簡単かつ迅速な取付けを可能にし、延長部は別の管クリップもしくは別の緊締レバーにおいて使用可能となる。このことを可能にするために、延長部は、好適にはねじ山または多角形体を有しており、この多角形体は、緊締レバーに設けられた収容部によって収容される。緊締ユニットを固定的に緊締するために必要とされる高いトルクは、長い緊締ストロークに基づき形成される。すなわち、緊締解除された状態では、１つまたは複数のバンドはルーズになるので、管公差の上限にある本管にも問題なく巻き掛けることができる。緊締レバーもしくは緊締レバーに設けられたバンド取付け部と、緊締レバーの軸受装置によって形成される旋回軸線とによって、両者の間には、このように大きな緊締ストロークを生ぜしめ、かつこれに相応して高いトルクを必要とする距離が設定されるが、しかし、この高いトルクは、旋回軸線と力導入箇所との間の長い間隔を形成する延長部を用いて、減じられた所要力を加えるだけで形成される。
【００１３】
本発明の有利な１態様は、サドル部材に配置された軸受エレメントが、一方の側では軸受ピンとして形成されていて、反対側では軸受シェルとして形成されていることにある。ただし、別の軸受装置も考えられる。これにより、バンド結合部が、サドル部材の一方の側では軸受シェル内に挿入されており、他方の側では、緊締レバーのクランプが軸受ピンを取り囲んで係合していて、この軸受ピンを中心として緊締レバーが旋回させられるので、軸受ピンは旋回軸線としての役割をも果たす。
【００１４】
したがって、緊締レバーが、軸受ピンを取り囲んで係合するためのクランプを有していると有利である。ただし別の軸受形式も考えられる。緊締レバーのこの態様により、サドル部材もしくは軸受ピンにおける緊締レバーの配置も、簡単に実現され得る。
【００１５】
好適には、クランプは、１８０°より大きい巻き掛かり角度で軸受ピンに巻き掛けられている。
【００１６】
好適には、緊締ユニットは、本管に巻き掛けられる１つから４つのバンドを有しており、特に好適には、２つのバンドが緊締ユニットに配置されている。これらのバンドは互いに平行に延在し、その一方の端部は緊締レバーに移行しており、他方の側ではバンド結合部に移行している。この場合、バンド結合部は、好適には軸線の役割を果たすように形成されており、この場合、この軸線を成すバンド結合部は好適には円筒状に形成されている。
【００１７】
本発明の１つの可能な態様は、１つもしくは複数のバンドの一方の端部が緊締レバーに設けられたバンド取付け部に配置されており、バンド取付け部は、サドル部材に設けられた軸受エレメントもしくは軸受ピンを取り囲んで係合していて、かつ旋回軸線として使われるクランプから、距離をおいて配置されていることにある。緊締レバーに設けられたバンド取付け部と、クランプによって軸受ピンに形成される旋回軸線との間の距離によって、てこ作用が規定される。この１つもしくは複数のバンド端部は、緊締レバーを射出成形する際に緊締レバーを形成するプラスチックによってこのバンド端部を取り囲むことにより、緊締レバーに結合された状態で、もしくは緊締レバーと一体に形成されている。択一的な別の構成では、バンドが緊締レバーおよびバンド取付け部にねじ締結されているか、リベット締結されているか、またはクランプされていてもよい。反対側のバンド端部には、これに対応してバンド結合部が配置されており、バンド結合部は、同じく射出成形時のプラスチックによる取り囲みか、または上に挙げた択一的な別の取付け形式によって形成されている。緊締レバーと、好適には軸線を成すバンド結合部とを射出成形により形成するためのプラスチックによって両バンド端部を取り囲むことにより、緊締ユニットは一体に形成されている。
【００１８】
別の可能な態様として、前記バンドをも射出成形することにより、緊締ユニット全体が一体の射出成形部材として形成されていることも考えられる。
【００１９】
緊締レバーに設けられた前記バンドの取付け部が、クランプもしくは旋回軸線から、少なくとも１５ｍｍの距離を有していると有利である。
【００２０】
好適には、緊締レバーに収容部が配置されており、この収容部は延長部を収容するために用いられる。収容部は、好適には円筒状に形成されている。収容部は、緊締バンドが締め付けられた状態において、ストッパとしても働く。これにより緊締レバーは、終端位置として規定された特定の位置にまでしか傾倒され得なくなる。緊締レバーがこの位置を越えてさらに旋回させられてしまうと、バンドのテンションは再び減少してしまい、このことは望ましくない。収容部によって、延長部は簡単に緊締レバーに取り付けられ、緊締過程後に再び除去され、そして別の管クリップにおいて使用され得る。好適には、延長部を収容するための収容部に凹設部もしくは開口が、形状接続式に、すなわち形状の係合による結合が得られるように、形成されている。特に好適には、凹設部もしくは開口は、多角形体またはねじ山として形成されていて、これにより、回動防止された収容部が保証されている。この場合、円形の横断面も考えられる。
【００２１】
バンド結合部が軸線を成すように形成されていて、サドル部材の一方の側に配置された軸受シェルに配置されていると、有利であることが判った。好適には、軸受シェルは、軸方向のストッパを有する。このことにより、緊締ユニットの締付けの際に、本管の外径におけるバンドの最適の位置調整が保証される。
【００２２】
上記課題は、本発明によれば、緊締ユニットが一体に形成されており、緊締レバーおよびバンド結合部が、１つもしくは複数のバンドに、プラスチック射出成形法によって固着するように射出成形されるか、もしくはバンド端部に固着するように射出成形されることによっても、解決される。
【００２３】
先に管クリップに関して挙げた有利な実施形態は、それらの実施形態が緊締ユニットに該当する場合には、同じく緊締ユニットならびに該緊締ユニットの製造方法にも適用され得る。
【００２４】
本発明の実施例を図面につき説明するが、本発明は、この実施例に限定されるものではない。
【図面の簡単な説明】
【００２５】
【図１】本発明による管クリップを、この管クリップに配置された延長部とともに示す３次元の斜視図である。
【図２】本発明による管クリップを、バンド結合部の側から見た３次元の斜視図である。
【図３】本発明による管クリップを、緊締された状態で、しかも延長部が既に除去された状態で示す３次元の斜視図である。
【図４】本発明による管クリップを緊締された状態で示す側面図である。
【図５】本発明による管クリップを緊締されていない状態で示す側面図である。
【００２６】
図１に示した図は、緊締ユニット１３を固定的に緊締するための延長部８を備えた本発明による管クリップ１を３次元的に示している。管クリップ１は本管１２に取り付けられて、緊締ユニット１３を用いて位置固定されている。サドル部材２は、サドル部材２に配置された軸受エレメント３，４と、好適には一体に形成されている。軸受エレメント３，４は、サドル部材２の一方の側では、図２に見えているように軸受シェル４の形状を有し、サドル部材２の他方の側では、軸受ピン３の形状を有する。当然ながら、軸受エレメントもしくは軸受装置の別の実施形態も考えられる。
【００２７】
緊締ユニット１３は、少なくとも１つのバンド９を含む。図示した実施形態では２つのバンド９が配置されていて、両バンド９は互いに平行に延在している。バンド９の一方の端部には緊締レバー５が配置されており、反対の側の端部にはバンド結合部７が配置されている。緊締ユニット１３は、単一の部材として形成されている。なぜならば、緊締レバー５とバンド結合部７とを射出成形する際に、バンド両端部が射出成形用のプラスチックによって取り囲まれているからである。一方のバンド端部は、バンド取付け部１１で緊締レバー５に移行しており、反対の側のバンド端部は、バンド結合部７に移行している。緊締レバー５のクランプ６は、緊締レバー５を軸受エレメント３もしくは軸受ピン３に支承するために用いられる。軸受ピン３もしくは旋回軸線３と、緊締レバー５に設けられたバンド取付け部１１との間の距離Ａは、比較的大きく設定されており、これにより大きな緊締ストロークが得られるか、もしくは規格の上限にある管直径への巻掛けが可能になる。このことは、好適には軸線としての役割を果たすバンド結合部７の、容易な掛け込みを可能にする。なぜならば、バンド９がルーズな状態で図示されている図５から良く判るように、バンド９が、相応する長さに形成されているからである。当然ながら、管クリップ１の取付けの間の本管１２へのバンド９の巻掛けをできるだけ容易に実施できるようにするためには、緊締レバー５を下方に向かってさらに大きく旋回させることができる。しかし、このような長い緊締ストロークを生ぜしめるこの大きな距離Ａに基づき、緊締レバー５を傾倒させるためには、もしくは図５に図示されているように緊締レバー５が死点を越えて傾動させられるまでには、高いトルクが必要となる。この場合、必要となる力を低減させるために、緊締レバー５に延長部８が配置されている。これにより旋回軸線３に対する間隔が増大され、このことは、トルクに対する影響なしに力の低減を可能にする。延長部８は、別個の部材として形成されていて、緊締過程後には、緊締レバー５から除去され得るようになっており、次の管クリップ１の設置時に再び使用され得る。延長部８は、好適には緊締レバー５に設けられた収容部１０内に配置されており、延長部８と収容部１０とは、好適には形状接続式に、すなわち形状同士の係合により、互いに協働する。収容部１０は、好適には中空円筒体として形成されており、その長さは、収容部１０が、緊締レバー５に対して制限部として働くように、規定されている。すなわち、緊締レバー５は、図４から良く判るように、収容部１０が管クリップ１に当接するまでの、規定された位置までしか傾倒され得ない。このことにより、緊締レバー５が、終端位置であるこの位置を越えて旋回され得ることが回避され、ひいてはバンドのテンションが再び減少し得ることが回避される。
【符号の説明】
【００２８】
１  管クリップ
２  サドル部材
３  軸受エレメント、軸受ピン、旋回軸線
４  軸受エレメント、軸受シェル
５  緊締レバー
６  クランプ
７  バンド結合部、軸線
８  延長部
９  バンド
１０  収容部
１１  緊締レバーに設けられたバンド取付け部
１２  本管
１３  緊締ユニット
Ａ  距離
【図１】
2019128037.tif 000003
【図２】
2019128037.tif 000004
【図３】
2019128037.tif 000005
【図４】
2019128037.tif 000006
【図５】
2019128037.tif 000007
【外国語明細書】
2019128037.tif 000008
2019128037.tif 000009
2019128037.tif 000010
2019128037.tif 000011
2019128037.tif 000012
2019128037.tif 000013
2019128037.tif 000014
2019128037.tif 000015
2019128037.tif 000016
2019128037.tif 000017
2019128037.tif 000018
2019128037.tif 000019
2019128037.tif 000020
2019128037.tif 000021
2019128037.tif 000022
2019128037.tif 000023
2019128037.tif 000024